(57)【要約】      （修正有）【課題】作業を行い易い場所でケーブルを取り付けることができ、組み付け性を向上させることができるケーブルガイド部材を提供する。【解決手段】ケーブルの這い回しを規定するケーブルガイド部材１０において、装置本体側に固定される取付部Ａと、ケーブルを挿通する挿通路を備えたガイド部Ｂと、取付部とガイド部とを回動自在に軸支する回動軸Ｃと、を備え、ガイド部の先端にて装置本体側と係合する。ケーブルガイド部材１０は低コストの硬質樹脂製であり、複線ケーブルの這い回し状態を規定することができる。【選択図】図２
2005197375.tif 000002
【特許請求の範囲】
【請求項１】
ケーブルの這い回しを規定するケーブルガイド部材において、
装置本体側に固定される取付部と、ケーブルを挿通する挿通路を備えたガイド部と、取付部とガイド部とを回動自在に軸支する回動軸と、を備え、
前記ガイド部の先端にて装置本体側と係合することを特徴とするケーブルガイド部材。
【請求項２】
硬質樹脂で形成されることを特徴とする請求項１記載のケーブルガイド部材。
【請求項３】
前記挿通路によって複線ケーブルの這い回し状態を規定することが可能であることを特徴とする請求項１記載のケーブルガイド部材。
【請求項４】
前記ガイド部の適所に、ケーブルの脱落を防止するために、複数個の突出片を互い違いに配置したことを特徴とする請求項１記載のケーブルガイド部材。
【請求項５】
請求項１、２、又は３に記載のケーブルガイド部材を備えたことを特徴とする画像形成装置。
【発明の詳細な説明】
【技術分野】
【０００１】
本発明は、ケーブルの這い回しを規定するケーブルガイド部材及びそのケーブルガイド部材を備えた画像形成装置に関する。
【背景技術】
【０００２】
各種の電子機器、例えば画像形成装置においては、内部に電力を必要とする種種の電子部品、ユニットを有しており、これらの部品、ユニットに対する電力供給のためのケーブルをガイドするケーブルガイド部材が組み込まれている。
【発明の開示】
【発明が解決しようとする課題】
【０００３】
従来の技術では、ハーネスなどのケーブルをケーブルガイド部材に取り付けるとき、周辺にある部品などと干渉してしまう場合があり、この場合、作業性が低下するのみならず、作業者の安全面においても問題がある。また、ケーブルが周辺の金属部材のエッジなどと接触すると、ケーブルが破損したり、リークが起きたりといった問題も起きてくる。
本発明は、作業を行い易い場所でケーブルを取り付けることができ、組み付け性を向上させることができるケーブルガイド部材及びそのケーブルガイド部材を備えた画像形成装置を提供することを目的とする。
【課題を解決するための手段】
【０００４】
上記目的を達成するために、請求項１記載の発明は、ケーブルの這い回しを規定するケーブルガイド部材において、装置本体側に固定される取付部と、ケーブルを挿通する挿通路を備えたガイド部と、取付部とガイド部とを回動自在に軸支する回動軸と、を備え、前記ガイド部の先端にて装置本体側と係合することを特徴とする。
請求項２記載の発明は、硬質樹脂で形成される請求項１記載のケーブルガイド部材を主要な特徴とする。
請求項３記載の発明は、複線ケーブルの這い回しを規定することが可能である請求項１記載のケーブルガイド部材を主要な特徴とする。
請求項４記載の発明は、互い違いに配置されている複数個の突き出し形状部を備えた請求項１記載のケーブルガイド部材を主要な特徴とする。
請求項５記載の発明は、請求項１記載のケーブルガイド部材を備えた画像形成装置を最も主要な特徴とする。
【発明の効果】
【０００５】
本発明によれば、ケーブルガイド部材に回転軸を設けることにより、作業を行い易い場所でケーブルガイド部材にケーブルを取り付けることを可能にし、組み付け性を向上させることが可能となる。
【発明を実施するための最良の形態】
【０００６】
以下、本発明の実施の形態を図面に従って説明する。
図１（ａ）は本発明のケーブルガイド部材を適用する画像形成装置の要部構成を示す平面図、（ｂ）はその要部側面図である。具体的には、画像（原稿）読み取り装置の構成を示す平面図である。なお、本発明は画像形成部を備えない単なる画像読取装置にも適用できる。
この画像読み取り装置は、図１（ａ）に示すように、前側と後側に夫々第１及び第２のレール１、２を備えている。外側に位置する一対の第１レール１は、第１走行体（第１スキャナ）１ａを矢印で示す走査方向に進退自在にガイドし、内側に位置する一対の第２レール２は、第２走行体（第２スキャナ）２ａを同方向にガイドする。第２レール２は、上面が平坦となっている。
符号３は、プーリ、ベルト等から成る駆動機構であり、第１、第２走行体１ａ、２ａを夫々ガイドする手段である。
符号４は、レンズブロック等を支持する板部材である。
符号１０は、本発明に係るケーブルガイド部材であり、このケーブルガイド部材１０は、装置本体、即ち例えば、一方の第２レール２の内側に取り付けられる。
【０００７】
図２（ａ）は本発明の一実施の形態に係るケーブルガイド部材の外観斜視図である。ケーブルガイド部材１０は低コストの硬質樹脂製であり、複線ケーブルの這い回し状態を規定することが可能である。このケーブルガイド部材１０は、装置本体側に取り付けられる取付部Ａと、ケーブルを挿通するＬ字型（形状の限定はない）の挿通路Ｂ１を備えたガイド部Ｂと、取付部Ａとガイド部Ｂとを回動自在に軸支する回動軸Ｃと、を備えている。
取付部Ａは、例えば回動軸Ｃと連結したベース１１から２枚の係止板１２を所定の間隔を隔てて平行に突出させた構成を備え、各係止板１２の先端には係止突起が設けられている。各係止板１２は、第２レール２の内側板に設けた穴から挿入されて、先端の係止突起により内部の被係止部２ｂに係止されて脱落不能に固定される。
ガイド部Ｂは、一端を回動軸Ｃによって支持された平面形状がＬ字型の第１の側板１５と、第１の側板１５と対向配置された平面形状がＬ字型の第２の側板１６と、第１及び第２の側板１５、１６の下端縁を連結する底板１７とを備え、これら１５、１６、１７によってケーブルの挿通路Ｂ１を形成している。
なお、各部材の形状、挿通路の形状は、図示のものに限らず種々変形可能である。
また、各側板１５、１６の上端縁間には、両者間を連設する、或いは庇状の突出片１８が配置され、ケーブルの脱落を防止する。庇状の突出片１８を設ける場合には、各側板１５、１６から互い違いに突出させるのが好ましい。
また、各側板１５、１６の先端には、係止突起１９を設ける。
第２、及び第１レール２、１には、夫々対応する位置に同形状の開口２Ａ、１Ａを設け、ケーブルガイド部材１０の先端部分Ｂ２が各開口２Ａ、１Ａ内に嵌合したときに、各係止突起１９が、開口１Ａの内周縁或いは、図３に示した被係止部２ｂと同様な被係止部と係止されるように構成する。
本発明によれば、ケーブルガイド部材１０の内側の挿通路Ｂ１内に、ハーネスなどのケーブルを通すことで、ケーブルの位置を規定し、意図に即した（任意の経路での）ケーブルの這い回しを行うことができる。
更に、本発明では、ケーブルガイド部材１０に回転軸Ｃを設けることで、ケーブルガイド部材１０を部分的に回転させ、干渉する恐れのある周辺部品を回避した状態でケーブル取り付け作業を行うことが可能となる。また、ケーブルガイド部材１０にケーブルを取り付けた後に、回転軸Ｃを支点にケーブルガイド部材のガイド部Ｂを回転させながら相手部材（第１レールの開口１Ａ）に係止突起１９を嵌合させることで、容易にケーブルガイド部材１０の位置を固定することが可能となる。さらに、ケーブルガイド部材１０に複数個の突出片１８を配置することで、ケーブルがケーブルガイド部材１０から外れにくくなる。
【０００８】
図１（ｂ）において、複数の板が並列した状態で第１、第２レール１、２が形成されている場合、各開口２Ａ、１Ａ内にハーネスなどのケーブルを通過させようとした場合、途中の穴２Ａの縁部に、コネクタなどが接触し易く、ケーブルを通すことが困難である。そこで、ケーブルガイド部材に設けた係止突起１９が、複数枚にまたがる金属板のうち、最奥部の金属板１の開口１Ａと係合できるようにすることで、容易に開口１Ａの内側をケーブルが通過できるようになり、且つ、ケーブルと開口１Ａのエッジ部との接触を回避することが可能となる。
本発明では、ケーブルガイド部材に回転軸を設けることにより、作業を行い易い場所でケーブルガイド部材にケーブルを取り付けることを可能にし、組み付け性を向上させることが可能となる。
またケーブルガイド部材を硬質樹脂で形成することにより、低コスト化を図ることが可能となる。
またケーブルが複線である場合も、作業を行い易い場所でケーブルガイド部材にケーブルを取り付けることが可能となる。
また互い違いに突出片を設けることにより、取り付けたケーブルがケーブルガイド部材から外れにくくなる。
【図面の簡単な説明】
【０００９】
【図１】（ａ）及び（ｂ）は本発明のケーブルガイド部材を適用する画像形成装置の要部構成を示す平面図、及び一部側面図。
【図２】（ａ）及び（ｂ）は本発明の実施の形態に係るケーブルガイド部材の外観斜視図、及び取付状態の構成図。
【図３】本発明のケーブルガイド部材を画像形成装置に取り付ける状態を示す断面図。
【符号の説明】
【００１０】
１  第１レール、１ａ  第１走行体（第１スキャナ）、１Ａ  開口、２  第２レール、２ａ  第２走行体（第２スキャナ）、２ｂ  被係止部、２Ａ  開口、３  駆動機構、４  板部材、１０  ケーブルガイド部材、Ａ  取付部、Ｂ  ガイド部、Ｂ１  挿通路、Ｃ  回動軸、１１  ベース、１２  係止板、１５  第１の側板、１６  第２の側板、１７  底板、１８  突出片、１９  係止突起。
【図１】
2005197375.tif 000003
【図２】
2005197375.tif 000004
【図３】
2005197375.tif 000005